(57)【要約】  買い物客の注意を第１の製品に向けるために什器、ディスプレイ又は棚の第１のセクション及び第２のセクションにそれぞれ置かれる第１の製品を第２の製品よりもハイライトするための照明デバイスであって、照明デバイスは、互いに隣接し、それぞれ第１の製品を照らすための第１の光出力及び第２の製品を照らすための第２の光出力を提供するように構成される、第１のセグメント及び第２のセグメントと、場の存在を示す信号に基づいて通常の照明モードからハイライティングモードに照明デバイスの動作モードを変えるように構成されるコントローラとを備え、通常の照明モード及びハイライティングモードの両方において、第１のセグメント及び第２のセグメントは照明を提供し、ハイライティングモードにおいて、第１のセグメントは、第２の製品よりも第１の製品をハイライトする、照明デバイスが提示される。
2021535565.tif 000002
【特許請求の範囲】
【請求項１】
買い物客の注意を第１の製品に向けるために什器、ディスプレイ又は棚の第１のセクション及び第２のセクションにそれぞれ置かれる前記第１の製品を第２の製品よりもハイライトするための照明デバイスであって、当該照明デバイスは、
前記第１の製品を照らすための第１の光出力を提供するように構成される第１のセグメントと、
前記第２の製品を照らすための第２の光出力を提供するように構成される、前記第１のセグメントに隣接する、第２のセグメントと、
場を感知する、及び、前記場の存在を示す信号を生成するように構成される感知デバイスと、
前記場の存在を示す信号に基づいて通常の照明モードからハイライティングモードに前記照明デバイスの動作モードを変えるように構成されるコントローラと、
を備え、
前記通常の照明モード及び前記ハイライティングモードの両方において、前記第１のセグメント及び前記第２のセグメントは照明を提供し、前記ハイライティングモードにおいて、前記第１のセグメントは、前記第２の製品よりも前記第１の製品をハイライトし、前記感知デバイスは、磁場を感知する、及び、前記磁場の存在を示す信号を生成するように構成される、照明デバイス。
【請求項２】
前記コントローラは、前記照明デバイスが前記ハイライティングモードで動作している場合、前記第１のセグメントの光出力の強度を変更するように構成される、請求項１に記載の照明デバイス。
【請求項３】
前記コントローラは、前記照明デバイスが前記ハイライティングモードで動作している場合、前記第１のセグメントの光出力の色を変更するように構成される、請求項１に記載の照明デバイス。
【請求項４】
前記照明デバイスはハウジングに含まれ、前記ハウジングは、前記第１のセグメントによって発せられる光が前記第１の製品の少なくとも買物客に面する部分に反射するように前記什器、ディスプレイ又は棚に前記照明デバイスを取り付けるように構成される、請求項１に記載の照明デバイス。
【請求項５】
前記感知デバイスは、磁気的に動作可能なスイッチである、請求項１に記載の照明デバイス。
【請求項６】
前記ハウジングは、磁気キーカードを受ける領域を提供し、前記感知デバイスは、前記磁気キーカードが前記ハウジングに提供される場合、前記場を感知するように構成される、請求項１に記載の照明デバイス。
【請求項７】
前記感知デバイスは、前記場の強さ、ある期間における前記場の強さの変化及び前記場の存在の間隔のうちの少なくとも１つを感知するように構成される、請求項１に記載の照明デバイス。
【請求項８】
前記感知デバイスは、ＲＦＩＤリーダである、請求項１に記載の照明デバイス。
【請求項９】
前記コントローラは、前記ＲＦＩＤリーダがＲＦＩＤタグの存在を示す所定の信号を受信する場合、前記通常の照明モードから前記ハイライティングモードに前記照明デバイスの動作モードを変えるように構成される、請求項８に記載の照明デバイス。
【請求項１０】
前記ＲＦＩＤリーダは、アクティブタグ、パッシブタグ及びセミパッシブタグのうちの少なくとも１つを検出するように構成される、請求項８に記載の照明デバイス。
【請求項１１】
第１の製品及び第２の製品をそれぞれ保持するための第１のセクション及び第２のセクションと、
請求項１に記載の照明デバイスと、
を備える、什器、ディスプレイ又は棚。
【請求項１２】
買い物客の注意を第１の製品に向けるために什器、ディスプレイ又は棚の第１のセクション及び第２のセクションにそれぞれ置かれる前記第１の製品を第２の製品よりもハイライトするための方法であって、当該方法は、
前記第１の製品を照らすために照明デバイスの第１のセグメントにより第１の光出力を提供することと、
前記第２の製品を照らすために前記第１のセグメントに隣接する前記照明デバイスの第２のセグメントにより第２の光出力を提供することと、
感知デバイスを介して場を感知する、及び、前記感知することに基づいて、前記場の存在を示す信号を生成することと、
前記場の存在を示す信号に基づいて通常の照明モードからハイライティングモードに前記照明デバイスの動作モードを変えることと、
を含み、
前記通常の照明モード及び前記ハイライティングモードの両方において、前記第１のセグメント及び前記第２のセグメントは照明を提供し、前記ハイライティングモードにおいて、前記第１のセグメントは、前記第２の製品よりも前記第１の製品をハイライトし、前記感知デバイスは、磁場を感知する、及び、前記磁場の存在を示す信号を生成するように構成される、方法。
【請求項１３】
請求項１に記載の照明デバイスに請求項１２に記載の方法のステップを実行させるように構成される命令を含むコンピュータプログラム。
【発明の詳細な説明】
【技術分野】
【０００１】
本発明は、店舗照明に関する。とりわけ、本発明は、什器、ディスプレイ又は棚の製品をハイライト(highlight)するための照明デバイス、方法及びコンピュータプログラムプロダクトに関する。
【背景技術】
【０００２】
「グリーンワールド(green world)」という概念は、消費及び生産に加え自然が重要視され、人々がリサイクル可能な素材及び自然エネルギを利用するような、持続可能な生活様式を表している。環境を守るために最も重要なことの一つは、廃棄物を減らし、より廃棄物のないライフスタイルへと向かう方法を見つけることである。廃棄物は、環境を汚染し、地球の限りある資源を使い果たしてしまう。特に、小売環境では、大量の個別のアイテムを扱わなければならず、それゆえ、小売店は多くの廃棄物を潜在的に出す可能性があるという事実を踏まえると、廃棄物は深刻な問題となり得る。
【０００３】
照明は、小売店において重要な要素であり、買い物を促す雰囲気を作り出すのに、及び、インテリアを興味深く及び／又は魅力的に見せるのに役立つことができる。典型的には、小売店で使用される照明は、デフォルトの所定のライト設定が店に使用されるような静的なものである。また、店舗オーナは、個々の店舗場所に代わり全国本部に制御が位置付けられる等、中央的に制御される照明システムを使用する場合もある。
【０００４】
グリーンワールドの文脈、及び、廃棄物を削減するために、特に小売環境において、廃棄物を削減する重要な役割を果たし、環境をグリーンにするのに役立つことができる照明セットアップを提供することが望まれている。
【０００５】
ＵＳ  ２０１５／１２３５４７  Ａ１は、陳列及び通路スペースを照明する光源と、第１の検出領域において人体の一部の存否を検知する第１の検出器と、第２の検出領域において人の存否を検知する第２の検出器とを備える、照明システムを開示している。第２の検出領域は、通路スペースの全体又は一部を含む。第１の検出領域は、第２の検出領域よりも物品に近い。コントローラは、人の不在を検出している場合、光源が減光された光出力レベルで動作され、第２の検出器が人の存在を検出する場合、陳列スペースの明るさが増加され、第１の検出器が人の存在を検出する場合、通路スペース及び陳列スペースの各々の明るさが増加されるように光源を制御する。
【０００６】
ＵＳ２００９０１８９７７５Ａ１は、ハイライティング方法、及び、アイテムにリンクされた少なくとも１つの制御可能な発光源と、アイテムのユーザ選択に応答して制御可能な発光源をオンにするように構成されるプロセッサとを備えるインタラクションシステムを開示している。制御可能な発光源は、マット又はストリップに埋め込まれてもよい。マットは、マットに置かれた場合にアイテムのベース又はフットプリントを検出するように構成される光検出器又は圧力センサのマトリクスを含んでもよい。製品を選択すると製品の周辺又はフットプリントが照明されてもよい。
【発明の概要】
【発明が解決しようとする課題】
【０００７】
本発明者らは、廃棄物を減らすためのシンプルな方法は、照明システムを使って、他の製品よりも早く販売されることが有益な製品に買い物客の注意を引くことであることを認識している。小売店又は店舗で買い物をしようとしている顧客は、買い物客と名付けられることができる。例えば、有効期限(expry date)がまだ先である同じタイプの製品に比べて、有効期限が近い製品を先ず販売することにより、製品が有効期限を過ぎ、最早販売されず、廃棄されることを要することが回避されることができる。しかしながら、小売店のほとんどの照明システムは、買い物客が安全且つ効率的に店舗内を移動するのに役立つように、買い物客がすべての製品、及び、例えば床、壁等を見ることを可能にする機能的な背景照明を提供するに過ぎない。このような機能的な背景照明は、ある製品が他の製品よりもハイライトされることを可能にしない。
【０００８】
一部の小売店では、スポットライトが、店の売り場のために見て美しい光を提供するために使用されることがある。スポットライトは、パン、魚、肉等の製品の美しさを引き立てる又は衣類を輝かせるために、明るい光ビームを売り場に照射することができる。しかしながら、このような照明は静的なものであり、廃棄物削減の問題を解決するために使用されることはできない。さらに、廃棄物を削減させるのに適するようにある製品を他の製品よりもハイライトできるようにこのようなシステムを適応させることは難しく、高価である。小売店で（個々の）製品をハイライトするためにスポットライトを使用することは、少なくとも、ハイライトされることができる製品の数、製品が互いにどれだけ近くに位置付けられる必要があるか等に関して制限される。複数のスポットライトは、結果として高価な照明システムをもたらす。
【課題を解決するための手段】
【０００９】
第１の態様によれば、買い物客の注意を第１の製品に向けるために什器、ディスプレイ又は棚の第１のセクション及び第２のセクションにそれぞれ置かれる第１の製品を第２の製品よりもハイライトするための照明デバイスが提示される。照明デバイスは、第１のセグメント、第２のセグメント及びコントローラを備える。第１のセグメントは、第１の製品を照らすための第１の光出力を提供するように構成される。第２のセグメントは、第２の製品を照らすための第２の光出力を提供するように構成される。第１のセグメント及び第２のセグメントは、互いに隣接する。コントローラは、場(field)の存在を示す信号に基づいて通常の照明モードからハイライティングモード(highlighting mode)に照明デバイスの動作モードを変えるように構成される。通常の照明モード及びハイライティングモードの両方において、第１のセグメント及び第２のセグメントは照明を提供する。しかしながら、ハイライティングモードにおいて、第１のセグメントは、第２の製品よりも第１の製品をハイライトする。
【００１０】
照明デバイスは、通常の照明モードからハイライティングモードに照明デバイスの動作モードを切り替えるように構成されるコントローラを備える。買い物客の注意は、第２の製品よりも第１の製品をハイライトすることにより第１の製品に向けられる。ハイライティング(highlighting)は、さもなくば買い物客からそれほど大きな注意を受けず、したがって、廃棄されるまで売れ残る可能性がある製品を他の製品の中で目立たせることができる。さらに、ハイライティングによって、例えば、古い製品、有効期限が近い製品、パッケージがそれほど魅力的でない製品、季節外れの製品等の全体的な外観をよりアピール及び／又は魅力的にさせることができる。
【００１１】
什器、ディスプレイ又は棚に設置された場合、第１の製品よりも他の製品に向けて発せられる光を適応させることにより第２の製品よりも第１の製品をハイライトすることを可能にするために、複数の照明デバイスが接続されてもよく、及び／又は、照明器具は３つ以上のセグメントを備えてもよい。言い換えれば、例えば、第１の製品が照らされる光の強度を上げることにより第１の製品をハイライトする代わりに、例えば、第２の製品（及び例えばその他の製品）に向けて発せられる光が減光されてもよい。
【００１２】
様々な実施形態において、コントローラは、照明デバイスがハイライティングモードで動作している場合、第１のセグメントの光出力の強度を変更する及び／又は色を変更するように構成される。製品が、第２の光出力と比較して第１の光出力の強度を変えることによってハイライトされる場合、製品を目立たせることができる。製品は、好ましくは、より高い強度の光を受けるので、製品は、買い物客にとってより見やすくなる。高度な実施形態では、強度は、時間に対して変えられることができ、所定のパターンに従うことができる。ハイライティングの別の可能な方法は、第２の光出力に対して第１の光出力の色を変えることである。例えば、第２の製品を照らす非白色光と比較して、第１の製品を照らす白色光は、第２の製品と比較して第１の製品を目立たせることができる。同様に、色の彩度が、ハイライティングを行うために調整されることができる。
【００１３】
一実施形態では、照明デバイスはハウジングに含まれ、ハウジングは、第１のセグメントによって発せられる光が第１の製品の少なくとも買物客に面する部分に反射するように什器、ディスプレイ又は棚に照明デバイスを取り付けるように構成される。この実施形態では、第１の製品の買物客に面する部分は、店舗ディスプレイの買物客に面する部分と関連する。店舗ディスプレイにおける照明デバイスの位置は、第１の製品のハイライティングが買い物客に見えるように選択される。
【００１４】
一実施形態では、照明デバイスはさらに、場を感知する、及び、場の存在を示す信号を生成するように構成される感知デバイスを備える。
【００１５】
一実施形態では、感知デバイスは、磁場(magnetic field)を感知する、及び、磁場の存在を示す信号を生成するように構成される。感知デバイスは、磁気的に動作可能なスイッチ(magnetically operable switch)であってもよい。さらなる実施形態では、ハウジングは、磁気キーカードを受ける領域を提供し、感知デバイスは、磁気キーカードがハウジングに提供される場合、場を感知するように構成される。感知デバイスはさらに、場の強さ、ある期間における場の強さの変化及び場の存在の間隔のうちの少なくとも１つを感知するように構成されてもよい。
【００１６】
磁気的に動作可能なスイッチを使用することの利点の１つは、通常の照明モードからハイライティングモードへの照明デバイスの動作モードの望ましくない切り替えが回避され得ることである。例えば、目に見えるボタン又はスイッチでは、買い物客が、例えば、押しボタンを押すことにより、動作モードの切り替えを意図的又は偶発的に引き起こし得る可能性がある。磁気的に動作可能なスイッチは、リードコンタクトスイッチ(reed contact switch)であることができる。磁気的に動作可能なスイッチ、例えば、リードコンタクトスイッチの位置は、スイッチが買い物客から見えないように選択されてもよく、磁気キーカードによって作動されてもよい。すなわち、関係するユーザ（例えば、小売店のオーナー／スタッフ）のみが、磁気キーカードを使用することができ、磁気的に動作可能なスイッチ、例えば、リードコンタクトスイッチがどこに配置されているかを知っている。
【００１７】
代替的な実施形態では、感知デバイスは、ＲＦＩＤ（ｒａｄｉｏ−ｆｒｅｑｕｅｎｃｙ  ｉｄｅｎｔｉｆｉｃａｔｉｏｎ）リーダである。一実施形態では、コントローラは、ＲＦＩＤリーダがＲＦＩＤタグの存在を示す所定の信号を受信する場合、通常の照明モードからハイライティングモードに照明デバイスの動作モードを変えるように構成される。
【００１８】
ＲＦＩＤリーダは、アクティブタグ、パッシブタグ及びセミパッシブタグのうちの少なくとも１つを検出するように構成される。感知デバイスがＲＦＩＤリーダである場合、コントローラは、ＲＦＩＤタグの存在を示す所定の信号を検出するように構成されてもよい。ＲＦＩＤリーダは、タグに信号を送り、その応答を読み取る。ＲＦＩＤリーダが（例えば、ＲＦＩＤタグの識別子に基づいて）所定のＲＦＩＤタグの存在を検出する場合、コントローラは、照明デバイスの動作モードを切り替えるように構成される。例えば、小売店のオーナー及び／又は１人以上のスタッフ等のユーザしか、照明デバイスを制御できるＲＦＩＤタグにアクセスできないことになり、これは、ハイライティングモードへの照明デバイスの望ましくない切り替えを防止する。感知デバイスは、携帯電話等のスマートデバイスがＮＦＣタグとして機能することを可能にする、近距離無線通信（ＮＦＣ： ｎｅａｒ−ｆｉｅｌｄ  ｃｏｍｍｕｎｉｃａｔｉｏｎ）リーダであってもよい。ＮＦＣはクローズド近接(closed proximity)に限定されるため、ユーザ、例えば、小売店のオーナー／スタッフは、ＮＦＣリーダの近くにいる必要がある。
【００１９】
オプションとして、ロックモードにおいて照明デバイスは場の存在に応答せず、アンロックモードにおいて照明デバイスは場の存在に応答するように照明デバイスをロック及びアンロックするさらなるセキュリティ機能がある。例えば、照明デバイスはさらに、赤外線センサを含み、赤外線センサは、赤外線信号が存在する（すなわち、赤外線センサによって測定される）間、又は、（例えば、所定のパターン、信号強度に応じた）赤外線信号が赤外線センサによって測定される場合に所定の期間、照明デバイスをアンロックモードで動作させ、そうでないときには、照明デバイスをロックモードで動作させてもよい。
【００２０】
第２の態様によれば、第１の製品及び第２の製品をそれぞれ保持するための第１のセクション及び第２のセクションと、第１の態様による照明デバイスとを備える、什器、ディスプレイ又は棚が提示される。
【００２１】
第３の態様によれば、買い物客の注意を第１の製品に向けるために什器、ディスプレイ又は棚の第１のセクション及び第２のセクションにそれぞれ置かれる第１の製品を第２の製品よりもハイライトするための方法であって、当該方法は、第１の製品を照らすために照明デバイスの第１のセグメントにより第１の光出力を提供することと、第２の製品を照らすために第１のセグメントに隣接する照明デバイスの第２のセグメントにより第２の光出力を提供することと、場を感知する、及び、前記感知することに基づいて、場の存在を示す信号を生成することと、場の存在を示す信号に基づいて通常の照明モードからハイライティングモードに照明デバイスの動作モードを変えることとを含み、通常の照明モード及びハイライティングモードの両方において、第１のセグメント及び第２のセグメントは照明を提供し、ハイライティングモードにおいて、第１のセグメントは、第２の製品よりも第１の製品をハイライトする、方法が提示される。
【００２２】
第４の態様によれば、照明デバイスに第３の態様による方法のステップを実行させるように構成される命令を含むコンピュータプログラムプロダクトが提示される。
【図面の簡単な説明】
【００２３】
【図１】第１の態様による照明デバイスを概略的に示す。
【図２】製品をハイライトするために図１に示される照明デバイスを用いる什器、ディスプレイ又は棚のレイアウトの一例を概略的に示す。
【図３】照明デバイス及びキーカードによって生成される場を感知するように構成される感知デバイスの一実施形態を概略的に示す。
【図４】図１に示される照明デバイスを用いて製品をハイライトするための方法の一実施形態を示すフローチャートを示す。
【発明を実施するための形態】
【００２４】
図１は、第１の態様による照明デバイスを概略的に示す。照明デバイス１００は、互いに隣接する第１のセグメント１１０及び第２のセグメント１２０を備える。第１のセグメント１１０は、第１の光出力１１１を提供するように構成され、第２のセグメント１２０は、第２の光出力１２１を提供するように構成される。第１及び第２のセグメント１１０、１２０は各々、少なくとも１つの光源（図示せず）及び少なくとも１つの光源に電力を供給するドライバ回路（図示せず）を備える。両セグメントは、同数の光源を含んでもよく、代替的に、異なる数の光源を含んでもよい。さらに、両セグメントは、同じタイプの光源、例えば、ＬＥＤ、蛍光灯、白熱灯を含んでもよく、又は、異なるタイプを含んでもよい。
【００２５】
照明デバイス１００はさらに、コントローラ１３０を備える。コントローラ１３０は、場の存在を示す信号に基づいて通常の照明モードからハイライティングモードに照明デバイス１００の動作モードを変えるように構成される。この例示的な図では、コントローラ１３０は、第１のセグメント１１０に隣接して配置されている。コントローラ１３０は、他の場所に配置されることができる。コントローラ１３０は、例えば、第２のセグメント１２０に隣接して配置されてもよく、又は、第１のセグメント１１０と第２のセグメント１２０の間に配置されてもよい。さらに、コントローラ１３０は、例えば、照明デバイス１００の第１のセグメント及び第２のセグメントと物理的に一体化される代わりに、（例えば、有線／無線接続で）照明デバイス１００にリモートで接続されてもよい。コントローラ１３０は、単一のユニットで実装されてもよく、又は、照明デバイス１００の第１のセグメント１１０及び第２のセグメント１２０間で分散される分散制御機能の形態で実装されてもよい。さらに、コントローラ１３０は、メモリ上に格納され、プロセッサ上での実行のために構成されるソフトウェアの形態で実装されてもよく、又は、代替的に、コントローラ１３０は、専用のハードウェア回路、又は、ＰＧＡ若しくはＦＰＧＡ等のコンフィギュラブル若しくはリコンフィギュラブルな回路の形態、又はこれらの任意の組み合わせで実装されてもよい。
【００２６】
照明デバイス１００はさらに、感知デバイス１４０を含む。感知デバイス１４０は、場を感知する、及び、場の存在を示す信号を生成するように構成される。この例示的な図では、感知デバイス１４０は、第１のセグメント１１０に配置されている。感知デバイス１４０は、他の場所に配置されることができる。感知デバイス１４０は、例えば、第２のセグメント１２０に配置されてもよく、又は、第１のセグメント１１０と第２のセグメント１２０の間に配置されてもよい。さらに、感知デバイス１４０は、（例えば、有線／無線接続で）照明デバイス１００にリモートで接続されてもよい。一実施形態では、コントローラ１３０及び感知デバイス１４０は、単一のユニットに組み合わされてもよく、又は、コントローラが、感知デバイスの機能を実行してもよい。
【００２７】
図２は、照明デバイス１００を用いる什器、ディスプレイ又は棚２３０のレイアウトの一例を示す。店舗ディスプレイ２３０は、複数の製品２１０、２１２、２１４、２２０、２２２、２２４をそれぞれ保持する複数のセクション２３１、２３２、２３３、２３４、２３５、２３６を備える。この例では、照明デバイス１００の第１のセグメント１１０は、第１の製品２１０を保持する第１のセクション２３１を照らすための第１の光出力１１１を提供するように構成され、照明デバイス１００の第２のセグメント１２０は、第２の製品２２０を保持する第２のセクション２３２を照らすための第２の光出力１２１を提供するように構成される。照明デバイス１００は、例えば、セクション２３３、２３４又はセクション２３５、２３６又はセクション２３１、２３２、２３３、２３４、２３５、２３６の任意の他の組み合わせに照明を提供するために他の場所に配置されてもよい。店舗ディスプレイ２３０のセクション２３１、２３２、２３３、２３４、２３５、２３６は、図２に示されるようにセパレータによって物理的に分離されてもよく、又は、セクション２３１、２３２、２３３、２３４、２３５、２３６は、セパレータによって物理的に分離されなくてもよく、各セクションが保持する製品の観点から定義されてもよい。
【００２８】
第１の製品２１０及び第２の製品２２０は、同じ製品タイプに属していてもよく、又は、異なる製品タイプに属してもよい。例えば、第１の製品２１０及び第２の製品２２０の両方が、食料品店の牛乳パックであってもよく、又は、ファッション店の同じスタイル及び／若しくは色の衣類であってもよい。代替的に、例えば、第１の製品２１０は食料品店のヨーグルトパックであり、第２の製品は食料品店の牛乳パックであってもよく、又は、ファッション店の異なるブランド、色及び／又はデザインの衣類であってもよい。
【００２９】
照明デバイス１００はハウジング２０５に含まれ、ハウジング２０５は、第１のセグメント１１０によって発せられる光が第１の製品２１０の少なくとも買物客に面する部分に反射するように店舗ディスプレイ２３０に照明デバイス１００を取り付けるように構成されてもよい。第１の製品２１０の買物客に面する部分は、店舗ディスプレイ２３０の買物客に面する部分と関連する。
【００３０】
図２の照明デバイス１００は、第１及び第２の製品２１０、２２０に照明を提供するために第１のセクション２３１及び第２のセクション２３２の上部に位置付けられる。照明デバイス１００は、照明デバイス１００の第１のセクション及び第２のセクションによって発せられる光が、それぞれ第１の製品２１０及び第２の製品２２０の少なくとも買い物客に面する部分を直接又は間接的に反射する限り、他の場所、例えば、裏側、角等に配置されてもよい。
【００３１】
照明デバイス１００は、通常の照明モード又はハイライティングモードのいずれかで動作可能なように構成される。通常の照明モードでは、第１のセグメント１１０及び第２のセグメント１２０は、第１の製品２１０及び第２の製品２２０を照らすための同じ光出力を提供するように構成される。光出力は、第１の製品２１０及び第２の製品２２０の買物客に面する部分で買物客によって知覚される同じ強度を有してもよい。代替的に、光出力は、第１の製品２１０及び第２の製品２２０の買物客に面する部分で買物客によって知覚される同じ色を有してもよい。通常の照明モードは、光出力設定が予め定められ、例えば、少なくとも、ユーザ及び／又は買い物客の好み、照明されることが意図される製品タイプ、店舗の雰囲気等に基づく、照明デバイス１００の一般に使用されるデフォルトの照明モードであってもよい。照明デバイス１００は、照明デバイス１００の電源が投入されたとき（例えば、電源サイクル(power cycle)が発生したとき）に、通常の照明モードで動作するように構成されてもよい。
【００３２】
照明デバイス１００は、場を感知する、及び、場の存在を示す信号を生成するように構成される感知デバイス１４０を備え、コントローラは、場の存在を示す信号に基づいて照明デバイス１００の動作モードを通常の照明モードからハイライティングモードに切り替えるように構成される。一実施形態では、感知デバイス１４０は、磁場を感知するように構成され、さらに、磁場の存在を示す信号を生成するように構成される。この実施形態によれば、感知デバイス１４０は、磁気的に動作可能なスイッチ、例えば、リードコンタクトスイッチである。リードコンタクトスイッチは、印加される磁場によって動作される電気スイッチである。これは、密閉されたガラスエンベロープ内の強磁性金属リード上の一対の接点から成ってもよい。接点は、通常開いていて、磁場が存在する場合に閉じてもよく、又は、通常閉じられていて、磁場が印加される場合に開いてもよい。スイッチは、リードリレーをなす、コイルによって作動されてもよく、又は、磁石をスイッチに近づけて作動されてもよい。
【００３３】
磁気的に動作可能なスイッチ、例えば、リードコンタクトスイッチは、磁場の存在を示す信号を生成するように構成され、一例では、信号の生成は、磁場を印加することによって作動される、磁気的に動作可能なスイッチ、例えば、リードコンタクトスイッチの作動(activation)を表す。
【００３４】
代替的な実施形態では、感知デバイス１４０は、電磁場を使用してＲＦＩＤタグを自動的に識別する、ＲＦＩＤ（Ｒａｄｉｏ−Ｆｒｅｑｕｅｎｃｙ  Ｉｄｅｎｔｉｆｉｃａｔｉｏｎ）リーダである。ＲＦＩＤタグは、電子的に記憶された情報を含む。インタロゲータ又はリーダと呼ばれる双方向無線送受信機は、タグに信号を送信し、その応答を読み取る。コントローラ１３０は、ＲＦＩＤリーダがＲＦＩＤタグの存在を示す所定の信号を受信する場合、通常の照明モードからハイライティングモードに照明デバイス１００の動作モードを変えるように構成される。代替的に、コントローラ１３０は、ＲＦＩＤリーダが所定のＲＦＩＤタグの存在を示す信号を受信する場合、動作モードを変えるように構成される。
【００３５】
この実施形態では、ＲＦＩＤタグは、アクティブ型、バッテリアシストのセミパッシブ型又はパッシブ型のいずれかであることができる。アクティブタグは、オンボードバッテリを有し、定期的に自身のＩＤ信号を送信し、ＲＦＩＤリーダから数百メートル離れて動作してもよい。バッテリアシストのパッシブ（ＢＡＰ：ｂａｔｔｅｒｙ−ａｓｓｉｔｅｄ  ｐａｓｓｉｖｅ）は、小型のオンボードバッテリを有し、ＲＦＩＤリーダが存在する場合に作動される。パッシブタグは、近くにあるＲＦＩＤリーダの質問電波(interrogating radio wave)からエネルギを収集する。
【００３６】
さらに発展した実施形態では、感知デバイス１４０は、高周波ＲＦＩＤの研ぎ澄まされた(finely-honed)バージョンとして分類されることができる、近距離無線通信（ＮＦＣ）リーダである。
【００３７】
感知デバイス１４０は、存在、感知デバイス１４０によって感知される場の強さ、（所定の）期間内の場の強さの変化、場の存在の間隔（例えば、場が１秒間存在し、その後２秒間存在せず、最後に１秒間再び存在する）の少なくとも１つ以上を感知するように構成される。磁場については、磁場の強度が表されることができる２つの方法、すなわち、１メートルあたりのアンペア（Ａ／ｍ）で測定される、磁場の強さＨと、テスラ（Ｔ）とも呼ばれる、１アンペアあたりのニュートンメートル（Ｎｍ／Ａ）で測定される、磁束密度Ｂのいずれかがある。磁場の強さは、磁力線(magnetic field line)の密度に相当する。
【００３８】
照明デバイス１００は、場の検出の際、動作モードを通常の照明モードからハイライティングモードに切り替えるように構成される。ハイライティングモードでは、第１の製品２１０が、第２の製品２２０よりもハイライトされる。第１の製品２１０は、第２の製品２２０に対して異なる位置に配置されてもよい。例えば、第１の製品２１０は、第２の製品２２０に対して上又は下の位置に配置されてもよく、又は、両製品２１０、２２０が並んで配置されてもよく、その他であってもよい。
【００３９】
ハイライティングモードでは、コントローラ１３０は、第２のセグメント１２０の第２の光出力１２１に対して第１のセグメント１１０の第１の光出力１１１の少なくとも１つの特性を変更するように構成される。一例では、光出力１１１の特性は、光出力１１１の強度である。強度は、ある値から少なくとも異なる値、好ましくはより高い値に変更されてもよい。強度は、動的に変更されてもよく、すなわち、強度の値は、経時的に変化してもよい。強度の変化は、間接的に、例えば、第１の製品２１０の買物客に面する部分で買物客によって知覚される視覚効果が、第２の製品２２０の買物客に面する部分で買物客によって知覚される視覚効果と比較して異なるように光出力１１１のビーム幅及び／又はビーム方向を変えることによって制御されてもよい。
【００４０】
一例では、光出力１１１の特性は、光出力１１１の色である。色の変化は、第１の光出力１１１及び第２の光出力１２１に対する、対照的な色(contrasting color)、例えば、白色対非白色、色の彩度等の使用に相当してもよい。色は、色スペクトル内のある値から色スペクトル内の別の値へと色が変化するように変更されてもよい。色は、ある予め定められたパターンに従うように動的に変更されてもよい。色の変化は、光出力１１１の点滅に相当してもよい。
【００４１】
照明デバイス１００は、電源サイクルによって通常の照明モードにリセットされてもよい。代替的に、タイマが、照明デバイス１００をハイライティングモードから通常の照明モードにリセットするために使用されてもよく、又は、照明デバイスは、同一若しくは異なる場のさらなる存在に基づく（例えば、照明デバイスを通常モードに戻らせるために同一のキーカードが提示される）ことを含む、何らかの他の方法で通常モードにリセットされてもよい。
【００４２】
照明デバイス１００は、線形のライト、例えば、ライトストリップであってもよく、又は、非線形のライトであってもよい。一例では、照明デバイス１００は、小売店で使用される冷蔵陳列ケース照明（ＲＤＬ：Ｒｅｆｒｉｇｅｒａｔｅｄ  Ｄｉｓｐｌａｙ  ｃａｓｅ  Ｌｉｇｈｔｉｎｇ）である。この例では、感知デバイス１４０、例えば、リードコンタクトスイッチは、ＲＤＬモジュールの光の乱れ(light disturbance)に影響するのを防止するように位置付けられる。このようにして、モジュールに照明を提供するための電力が供給される場合、感知デバイス１４０、例えば、リードコンタクトスイッチ及び対応する電子回路（図示せず）はほとんど見えない。ＲＤＬモジュールは、典型的には、２４Ｖの定電圧電源によって給電される。この電圧は、対応する電子回路、例えば、電子リードコンタクト回路(electronic reed contact circuit)に給電するために使用される。好ましい実施形態では、冷蔵陳列照明（ＲＤＬ：Ｒｅｆｒｉｇｅｒａｔｅｄ  Ｄｉｓｐｌａｙ  Ｌｉｇｈｔｉｎｇ）のブラケットは、非鉄金属製である。
【００４３】
図３は、ＬＥＤチューブ（ＴＬＥＤ）３００としての照明デバイス１００の例示的な実装形態を示す。ＬＥＤ（Ｌｉｇｈｔ  Ｅｍｉｔｔｉｎｇ  Ｄｉｏｄｅ）は、電気エネルギを可視光に変換することができる固体半導体デバイスである。ＬＥＤは、都合よく制御されることができ、電流を調整するだけで、光の強度及び／又は色が任意に調整されることができる。ＬＥＤは、異なる光色コンフィギュレーションを有し、異なる光色を有するＬＥＤの光強度を調整することにより、様々な光色効果が実現されることができる。ＬＥＤは、電池式の懐中電灯、小型のサウンドコントロールランプ、安全照明灯、車道や屋内階段の照明灯、ビルやマーカーの連続点灯ランプ等、さまざまなタイプの照明デバイスに広く適用されている。
【００４４】
照明デバイス３００は、２つのエンドキャップ３０２及び感知デバイス３４０を備える。感知デバイス３４０は、磁気的に動作可能なスイッチ、例えば、リードコンタクトスイッチ、又は、ＲＦＩＤ／ＮＦＣリーダであってもよい。キーカード３５０が、場３５１を生成するために構成される。照明デバイス３００のハウジングは、キーカード３５０を受ける領域を提供し、感知デバイス３４０は、キーカード３５０が照明デバイス３００のハウジングに提供される場合、場３５１を感知するように構成される。キーカード３５０が受けられ、例えば線３６０で示されるように感知デバイス３４０の中心から所定の距離ｄ内にある場合、感知デバイス３４０によって感知される場３５１の強さは、少なくとも閾値に達する、又は閾値よりも高くなり、感知デバイス３４０が場３５１の存在を示す信号を生成するようにトリガする。一例では、感知デバイス３４０が磁気的に動作可能なスイッチ、例えば、リードコンタクトスイッチである場合、キーカード３５０は、磁場３５１を生成するように構成され、磁場３５１の存在を示す信号の生成は、磁気的に動作可能なスイッチ、例えば、リードコンタクトスイッチの作動に相当する。
【００４５】
磁気的に動作可能なスイッチ、例えば、リードコンタクトスイッチを使用することの利点の１つは、望ましくない切り替え、例えば、買い物客が意図的又は偶発的に通常の照明モードに切り替えることが回避され得ることである。磁気的に動作可能なスイッチ、例えば、リードコンタクトスイッチは、磁気的に動作可能なスイッチ、例えば、リードコンタクトスイッチが見えず、磁気キーカード３５０でのみ作動されることができるように照明デバイス３００の内部に設けられることができる。
【００４６】
図４は、買い物客の注意を第１の製品２１０に向けるために店舗ディスプレイ２３０の第１のセクション２３１及び第２のセクション２３２にそれぞれ置かれる第１の製品２１０を第２の製品２２０よりもハイライトするための方法のフロー図である。
【００４７】
ステップ４０１は、フロー図の開始を示している。
【００４８】
ステップ４１０において、第１のセグメント１１０及び第２のセグメント１２０は、第１の製品２１０及び第２の製品２２０をそれぞれ照らすための第１の光出力１１１及び第２の光出力１２１を提供するように構成される。
【００４９】
ステップ４２０において、感知デバイス１４０は、磁場を感知するように構成される。一実施形態では、感知デバイス１４０は、磁場を感知するように構成され、さらに、場の存在を示す信号を生成するように構成される、磁気的に動作可能なスイッチ、例えば、リードコンタクトスイッチである。代替的に、感知デバイス１４０は、電磁場を使用してＲＦＩＤタグを自動的に識別する、ＲＦＩＤ（Ｒａｄｉｏ−Ｆｒｅｑｕｅｎｃｙ  Ｉｄｅｎｔｉｆｉｃａｔｉｏｎ）リーダである。ＲＦＩＤリーダの一例として、感知デバイス１４０は、近距離無線通信（ＮＦＣ）リーダであってもよい。感知デバイス１４０が場を感知する場合、感知デバイス１４０は、矢印４２２で表される、場の存在を示す信号を生成するように構成され、次のステップ４３０に移る。そうでない場合、感知デバイス１４０は、矢印４２１で表される、センシング状態を継続する。
【００５０】
ステップ４３０において、コントローラ１３０は、場の存在を示す信号に基づいて照明デバイス１００の動作モードを通常の照明モードからハイライティングモードに変えるように構成され、通常の照明モード及びハイライティングモードの両方において、第１のセグメント１１０及び第２のセグメント１２０は照明を提供し、ハイライティングモードにおいて、第１のセグメント１１０は、第２の製品２２０よりも第１の製品２１０をハイライトする。
【００５１】
請求項では、単語「含む（comprising）」は、他の構成要素又はステップを排除するものではなく、不定冠詞「１つの（a）」又は「１つの（an）」は、複数を排除するものではない。
【００５２】
単一のステップ又は他のユニットが、請求項において列挙される、いくつかの項目の機能を果たしてもよい。特定の手段が、互いに異なる従属請求項内に列挙されているという単なる事実は、これらの手段の組み合わせが、有利に使用され得ないことを示すものではない。
【００５３】
請求項中のいかなる参照符号も、範囲を限定するものとして解釈されるべきではない。
【図１】
2021535565.tif 000003
【図２】
2021535565.tif 000004
【図３】
2021535565.tif 000005
【図４】
2021535565.tif 000006
【国際調査報告】
2021535565.tif 000007
2021535565.tif 000008
2021535565.tif 000009